(57)【特許請求の範囲】
【請求項１】
把持部、噛合い部、及び両者をつなぐ支持部からなるボトルオープナーにおいて、該噛合い部は、支持部からほぼ環状に延出する渦巻き状となって、該噛合い部の先端は前記環状内へ入り込むと共に、且つ内歯及び外歯を備え、該外歯は前記支持部に設けた係合歯と係合するようになして回動させボルトの栓を開栓又は閉栓することを特徴とするボトルオープナー
【請求項２】
把持部、噛合い部、及び両者をつなぐ支持部からなるボトルオープナーにおいて、該噛合い部は、支持部からほぼ環状に延出する渦巻き状となって、該噛合い部の先端は前記環状内へ入り込むと共に、且つ内歯及び外歯を備え、該外歯は前記支持部に設けた係合歯と係合するようになし、前記外歯の歯形は、前記内歯の歯形より相対的に小さく設定して、回動させボルトの栓を開栓又は閉栓することを特徴とするボトルオープナー
【発明の詳細な説明】
【０００１】
【発明が属する技術分野】
本発明は、市販のボトル、特にプラスチックボトルの栓の開口を図るオープナーに関するものである。
【０００２】
【従来の技術】
現在市販されている主にプラスチック製のボトルは、ジュースやお茶等の飲料を入れるものとして多くが存在し、ガラス製のボトルを駆逐する勢いである。その栓の開口は、手で回転させて行われている。特に、プラスチック・ボトル７は、その栓８はボトルの本体に固定されている部分から、回転力によりねじ切ることで栓８を開口するものであるから、意外に力を要するものである。そして、子供や更には老人の人口の増加に伴い、その栓の開口にも、困難を来たしており問題があった。
【０００３】
又従来瓶の開口には栓抜きがあったが、ボトルの開口には、従来技術がなく、手でよる以外に道具や方法がなかったので、特に一人住まいの老人には、悩みの種であった。
【０００４】
【発明が解決しようとする課題】
本発明において解決しようとする問題点は、ボトルの栓を開口を容易に道具を提供することであり、そのオープナーを得ることである。
【０００５】
【課題を解決するための手段】
上記問題点を解決するために、本発明は、把持部、噛合い部、及び両者をつなぐ支持部からなるボトルオープナーにおいて、該噛合い部は、支持部からほぼ環状に延出する渦巻き状となって、該噛合い部の先端は前記環状内へ入り込んでいて、且つ内歯及び外歯を備え、該外歯は前記支持部に設けた係合歯と係合するようになして回動させボルトの栓を開栓又は閉栓するボトルオープナーを提供する。
【０００６】
また、把持部、噛合い部、及び両者をつなぐ支持部からなるボトルオープナーにおいて、該噛合い部は、支持部からほぼ環状に延出する渦巻き状となって、該噛合い部の先端は前記環状内へ入り込んでいて、且つ内歯及び外歯を備え、該外歯は前記支持部に設けた係合歯と係合するようになし、前記外歯の歯形は、前記内歯の歯形より相対的に小さく設定して、回動させボルトの栓を開栓又は閉栓するボトルオープナーを提供する。
【０００７】
【発明の実施の形態】
本発明は、老人等にも容易にボトルの栓を容易に開口することができるオープナーを実現した。
【０００８】
【実施例】
図１の（１）は、ボトルオープナーの１実施例の平面図であって、ボトルオープナー１は、手で握る部分の把持部４の上端には、支持部２からほぼ環状に延出する渦巻き状の噛合い部３があり、該噛合い部３は、支持部４から延出する前記環状部内へ渦巻き状にその先端は入り込んでいる。そして、噛合い部３は、内歯３３と外歯３２を備え、把持部４の支持部２によって固定されている。材料は、ポリエチレンなどのプラスチックで一体成形されており、噛合い部３は弾性を有しており、ボトルの口径が違っていても嵌合可能である。  又プラスチック以外の他の材料でも製作することができる。
【０００９】
市販のボトル７には、通常その栓８の周囲には、回動し易いように、図３に示すように、ギザギザの部分８０が設けられている。支持部２の上部に設けられた噛合い部３は、環状であって渦巻き状をなしており、前記したように、その噛合い部３の先端は、渦巻き状に入り込んでいる。噛合い部３の他端は、渦巻き状に入り込む該部分を包むように反対側に円弧状２９に延びており、該端部３０には、外歯３２と係合する係合歯３１が設けられている。その噛合い部３の内側に設けられる内歯３３は、ボトル７の栓８の上記ぎざぎざの部分８０に噛み合うもので、その環状の内歯部３３の反対側には、外歯３２が設けられている。更に、この外歯３２と係合歯３１とは、係合して回転の動力をつたえることになる。
【００１０】
ここで、内側の内歯３３は、その歯形を外歯３２に対して相対的に大きめに形成することが好ましい。即ち、ボルトの栓は大きめに又は粗く形成さているので、大きめに歯を形成する。次に、外側の外歯３２の歯形は、内歯３３に比べて小さめにする（ピッチを小とし、高さを小とする）と、この結果、初めに、内側の内歯３３が先にボトルの栓８に係合し、次いで、外歯３２が係合歯３１と係合することになる。これは、実験の結果、外側の外歯３２を内歯３３に対して小さな歯形とすると、内側の内歯３３より先に外側の外歯３２が係合歯３１と係合してしまい、内側の内歯３３と栓８とが空回りすることがあることを見いだしたものであり、これは重要な発見であった。
【００１１】
図１の（２）は、ボトルオープナー１を側面からみたもので、外歯３２と該外歯３２に係合する係合歯３１が示されている。図３に示すものは、開栓の状態を示す。
【００１２】
図２に示されるのは、該ボトルオープナー１を反対側にしたもので、開栓した栓を再び締める状況を示している。
【００１３】
以上から、次にボトルオープナー１を使用する状況を説明する。
【００１４】
図１の状態は、開栓する時の位置で、内歯３３内にボトル７の栓８挿入する。次に、図３に示すように、栓８に入った状態で、把持部４を図示のように、矢印で示す反時計方向に回すと、まず、内歯３３内にボトル７の栓８が係合していく。次に、支持部２に設けられた係合歯３１が外歯３２に係合する。そして、更に把持部４を回動させると、栓を絞めるように回動していき、しっかりと栓８を固持し回動力を伝えるので、栓が開くことになる。
【００１５】
特に、ボトルがポロエチレン材などプラスチックのときは、栓８をねじ切ることで栓を根元から外して開口することができる。これは、丁度スパナやレンチのような作用をすることで、力が要らないで開栓できることになる。
【００１６】
次に開栓後、再び栓をするときについて説明する。閉栓は、図２に示すように、ボトルオープナー１を反対側にする。次いで、その位置で、栓８上に内歯３３が嵌るように被せる。
【００１７】
開栓とは、逆に、時計方向に把持部４を回動させる。すると、図１に示すように、まず内歯３３が、栓８のギザギザの部分８０に係合していき、次いで、外歯３２に係合歯３１が係合していき、栓８を絞めて固持し、そのまま回動を続けていくと、閉栓されていくことになる。
【００１８】
【発明の効果】
以上説明したように、本発明のボトルオープナーは、従来なかったボトルのような栓や蓋を開栓又は閉栓するときの道具を提供することができた。丁度スパナやレンチのような作用を奏するので、力は要らず、特に子供や老人でも、容易に開栓又は閉栓することができるようになった。
【図面の簡単な説明】
【図１】本発明の実施例であるボトルオープナーの平面図である（開栓時）。
【図２】本発明の実施例であるボトルオープナーの図１における状態からひっくり返した状態の平面図である（閉栓時）
【図３】本発明の実施例であるボトルオープナーの図１をボトルに適用して開栓する状態を示す斜視図である。
【符号の説明】
１    ボトルオープナー    ４    把持部
２    支持部                ７    ボトル
３    噛合い部              ８    栓
３１  係合歯              ８０    ギザギザの部分
３２    外歯
３３    内歯
【図１】
0003619227.tif 000002
【図２】
0003619227.tif 000003
【図３】
0003619227.tif 000004